(57)【要約】【課題】  確実に自分の情報を外部へ出力できるＩＣタグ付き携帯端末を提供する。【解決手段】  ＩＣタグ付き携帯端末１０は、トリガー信号を受けてＩＤ番号を出力するＩＣタグ部１６と、電話機能部１２とを有する。ＩＣタグ部１６は、電池１８を内蔵し、トリガー信号を受けて起動され、ＩＤ番号を出力する。【選択図】      図２
2005234716.tif 000002
【特許請求の範囲】
【請求項１】
トリガー信号を受けてＩＤ番号を出力するＩＣタグと、電話機能とを有するＩＣタグ付き携帯端末であって、
前記ＩＣタグは、電池を内蔵し、前記トリガー信号を受けて起動され、前記ＩＤ番号を出力する、ＩＣタグ付き携帯端末。
【請求項２】
前記電池は前記ＩＣタグと前記電話機能とで共通に使用される、請求項１に記載のＩＣタグ付き携帯端末。
【請求項３】
電池を内蔵し、トリガー信号を受けてＩＤ番号を出力するＩＣタグおよび電話機能とを有するＩＣタグ付き携帯端末と、位置情報を有し、前記トリガー信号を出力するトリガー基地局と、前記トリガー基地局にネットワークを介して接続されたサーバとを含む、動向管理システムであって、
前記トリガー基地局は、前記ＩＣタグ付き携帯端末から前記ＩＤ番号を受信して受信時刻および前記位置情報とともに前記サーバに送信し、
前記サーバは、前記受信時刻、ＩＤ番号および位置情報から前記ＩＣタグ付き携帯端末の動向管理を行う、動向管理システム。
【請求項４】
前記トリガー基地局は所定の情報を有し、前記ＩＣタグ付き携帯端末から前記ＩＤ番号を受信したとき前記所定の情報を前記ＩＣタグ付き携帯端末に送信する、請求項３に記載の動向管理システム。
【請求項５】
電池を内蔵し、トリガー信号を受けてＩＤ番号を出力するＩＣタグおよび電話機能とを有するＩＣタグ付き携帯端末と、
標準時刻を有し、前記トリガー信号を出力して前記ＩＣタグから前記ＩＤ番号を受信するメインコントロール部とを含む、競技用管理システムであって、
前記メインコントロール部は、前記ＩＣタグ付き携帯端末からのＩＤ番号を受信したとき、前記標準時刻とともに前記受信したＩＤ番号を記憶する、競技用管理システム。
【発明の詳細な説明】
【技術分野】
【０００１】
この発明は、ＩＣタグ付き携帯端末、動向管理システムおよび競技用管理システムに関し、特に、ユーザの動態、動向管理等が可能なＩＣタグ付き携帯端末、動向管理システムおよび競技用管理システムに関する。
【背景技術】
【０００２】
携帯端末を用いてその持ち主に情報を提供するシステムが、たとえば下記特許文献１に開示されている。
【０００３】
特許文献１によれば、通知先情報を保持する携帯端末と携帯端末からの通知先情報の読取り結果を、自己の識別情報とともに送信する情報読取り装置と、情報読取り装置からの送信結果に基づいて、情報読取り装置の設置位置に対応した情報を通知先情報で特定される通知先に送信する情報配信装置とを備える。これにより情報配信端末は携帯端末の現在位置を情報読取り装置の設置位置から判断することが可能になり、携帯端末の現在位置に応じた最適な情報をリアルタイムで携帯端末に提供できる。
【特許文献１】特開２００３−０２３６６６号公報（図１、段落番号０００５、０００６等）
【発明の開示】
【発明が解決しようとする課題】
【０００４】
従来の携帯端末を用いてその持ち主に情報を提供するシステムは上記のように構成されていた。読取りセンサが接近した携帯端末からその通知先情報を読取る時には、読取りセンサが非接触ＩＣタグの応答に必要な電波を発信し、非接触ＩＣタグは電磁誘導の原理で発電した電力により、通知先情報ＤＳを読取りセンサに送信している。
【０００５】
しかしながら、このような外部から電力を受けるパッシブ式の非接触ＩＣタグでは、読取りセンサにかなり近づかないと、ＩＣタグを起動できず、また起動できても、十分な出力で通知先情報を出力できず、現実には利用できないという問題があった。
【０００６】
この発明は、上記のような問題点に着目してなされたもので、確実に自分の情報を外部へ出力できるＩＣタグ付き携帯端末を提供することを目的とする。
【０００７】
この発明の他の目的は、リアルタイムに確実にユーザから、またはユーザへの情報伝達が可能なＩＣタグ付き携帯端末を提供することを目的とする。
【０００８】
この発明のさらに他の目的は、ユーザの動態および動向管理が確実に可能な動向管理システムを提供することを目的とする。
【０００９】
この発明のさらに他の目的は、ユーザがマラソンなどの競技に参加したときに、その所要時間を計測可能な競技用管理システムを提供することを目的とする。
【課題を解決するための手段】
【００１０】
この発明に係る、ＩＣタグ付き携帯端末は、トリガー信号を受けてＩＤ番号を出力するＩＣタグと、電話機能とを有する。ＩＣタグは、電池を内蔵し、トリガー信号を受けて起動され、ＩＤ番号を出力する。
【００１１】
ＩＣタグは、電池を内蔵し、十分な出力で外部にＩＤ番号を出力できる。その結果、確実に自分の情報を外部へ出力できるＩＣタグ付き携帯端末を提供できる。
【００１２】
好ましくは、電池はＩＣタグと前記電話機能とで共通に使用される。
【００１３】
この発明の他の局面によれば、動向管理システムは、電池を内蔵し、トリガー信号を受けてＩＤ番号を出力するＩＣタグおよび電話機能とを有するＩＣタグ付き携帯端末と、位置情報を有し、トリガー信号を出力するトリガー基地局と、トリガー基地局にネットワークを介して接続されたサーバとを含む。トリガー基地局は、ＩＣタグ付き携帯端末からＩＤ番号を受信して受信時刻および位置情報とともにサーバに送信し、サーバは、受信時刻、ＩＤ番号および位置情報からＩＣタグ付き携帯端末の動向管理を行う。
【００１４】
その結果、ユーザの動態および動向管理が可能なＩＣタグ付き携帯端末を提供できる。
【００１５】
好ましくは、トリガー基地局は所定の情報を有し、ＩＣタグ付き携帯端末からＩＤ番号を受信したとき所定の情報をＩＣタグ付き携帯端末に送信する。
【００１６】
トリガー基地局は、ＩＣタグ付き携帯端末からＩＤ番号を受信したとき所定の情報をＩＣタグ付き携帯端末に送信するため、リアルタイムに確実にユーザへの情報伝達が可能なＩＣタグ付き携帯端末を提供できる。
【００１７】
この発明のさらに他の局面においては、競技用管理システムは、電池を内蔵し、トリガー信号を受けてＩＤ番号を出力するＩＣタグおよび電話機能とを有するＩＣタグ付き携帯端末と、標準時刻を有し、トリガー信号を出力してＩＣタグからＩＤ番号を受信するメインコントロール部とを含む。メインコントロール部は、ＩＣタグ付き携帯端末からのＩＤ番号を受信したとき、標準時刻とともに受信したＩＤ番号を記憶する。
【００１８】
その結果、ユーザがマラソンなどの競技に参加したときに、その所要時間を計測可能な競技用管理システムを提供できる。
【発明を実施するための最良の形態】
【００１９】
以下、この発明の実施の形態を図面を参照して説明する。図１はこの発明の一実施の形態にかかるＩＣタグ付き携帯端末を用いたシステム全体を示すブロック図である。図１を参照して、ユーザはＩＣタグ付き携帯端末１０を保持している。ＩＣタグ付き携帯端末１０は後に説明するように電話機能とＩＣタグ機能とを内蔵している。
【００２０】
ＩＣタグ付き携帯端末１０は、基地局３１を介してインターネットのようなネットワーク３４と接続されており、ネットワーク３４には、他の携帯端末３２や所定の情報を提供可能なサーバ３３が接続されている。サーバ３３は、後に説明するように、デパート４１、駅４２、レストラン４３等の位置のトリガー信号出力部４１ａ、４２ａ、４３ａの位置情報を把握している。
【００２１】
なお、ネットワーク３４はインターネットに限らず、電話回線、ＬＡＮ、携帯電話網衛星通信網等であってもよい。
【００２２】
ユーザはＩＣタグ付き携帯端末１０を保持した状態でデパート４１や、駅４２やレストラン街４３を移動する。
【００２３】
次に、ＩＣタグ付き携帯端末１０について説明する。図２はＩＣタグ付き携帯端末１０の要部を示すブロック図である。図２を参照して、ＩＣタグ付き携帯端末１０は、送受信アンテナ１１と、電話機能部１２とＩＣタグ部１６と、各種情報を表示する表示部２４と、ＩＣタグ付き携帯端末１０全体を制御するＣＰＵ２５とを含む。
【００２４】
電話機能部１２は、受信部１３と送信部１４とを含む。ＩＣタグ部１６は、アンテナ１５を介して外部からのトリガー信号を検知するトリガー信号検知部１７と、トリガー信号検知部１７によってトリガー信号が検知されたとき、内蔵された電池１８から電源をＩＣタグ部１６の記憶部２０に供給するスイッチ１９とを含む。記憶部２０は、ＩＤ番号記憶部２１と、ＩＤ番号発信部２２とデータ記憶部２３とを含む。ＩＤ番号記憶部２１は携帯端末１０に固有のＩＤ番号（識別番号）を記憶する。ＩＤ番号発信部２２は、ＩＤ番号記憶部２１に記憶されたＩＤ番号を送受信アンテナ１５から外部へ出力する。すなわち、ＩＣタグ部１６は所定のトリガー信号を受けると、所定のＩＤ番号を外部へ出力する。データ記憶部２３は、送受信アンテナ１１および１５を介して受信した情報をデータ記憶部に記憶する。なお、データ記憶部２３に記憶されたデータは表示部２４に表示可能である。
【００２５】
また、電池１８は、携帯端末１０の電話機能部１３の電源としても作動する。データ記憶部２３に記憶されたデータは電話機能部１２からも利用可能である。
【００２６】
この実施の形態にかかるＩＣタグ付き携帯端末においては、ＩＤ番号記憶部２１が内蔵電源によって駆動されるため、確実にトリガー信号を受信するとともに、十分な出力で自分のＩＤ番号を出力可能である。
【００２７】
なお、ここでは、携帯電話用の送受信アンテナ１１とＩＣタグ用の送受信アンテナ１５とを分けているが、これを共用して１本のアンテナとしてもよい。
【００２８】
また、電話機能部１２用に別の電源を用意してもよく、その場合、データ記憶部２３は電話機能部１２側の別の電源を利用してもよい。
【００２９】
（１）第１実施の形態
次に、ＩＣタグ付き携帯端末１０の利用方法について説明する。ここでは、ＩＣタグ付き携帯端末１０をユーザの動向管理システムとして使用する。図１を参照して、デパート４１の入口、駅４２の入口またはホーム、レストラン４３の入口等にそれぞれ所定のトリガー信号を出力するトリガー信号出力部４１ａ、４２ａ、４３ａが設けられている。
【００３０】
図３はこの実施の形態におけるＩＣタグ付き携帯端末１０のＣＰＵ２５行う動作（Ａ）とトリガー信号出力部の行う動作（Ｂ）を説明するフローチャートである。図１から図３を参照して、ＩＣタグ付き携帯端末１０は、このトリガー信号出力部４１ａ、４２ａ、４３ａからのトリガー信号を受ける（Ｓ１１）と、上記したように内蔵するＩＤ番号を複数回出力する（Ｓ１２、Ｓ１３）。これは受信側での受信を確実にするためであって、１回のみの出力でもよい。トリガー信号出力部４１ａ、４２ａ、４３ａは、常時トリガー信号を出力しており（Ｓ２１）、このＩＤ番号を受けると（Ｓ２２）、そのＩＤ番号を受信時刻とともに記憶する（Ｓ２３）。トリガー信号出力部４１ａ、４２ａ、４３ａはネットワーク３４に接続されており、記憶したＩＤ番号を一定の時間毎にネットワーク３４上の所定のサーバ３３に送信する（Ｓ２４、Ｓ２５）。
【００３１】
次にサーバ３３の動作について説明する。図４はサーバ３３の動作を説明するフローチャートである。図４を参照して、サーバ３３は、ＩＣタグ付き携帯端末１０から時刻とセットになったＩＤ番号を受信すると（Ｓ３１）、各トリガー信号出力部４１ａ、４２ａ、４３ａの位置がわかっているため、ＩＤ番号ごとに整理することによって（Ｓ３３）、そのＩＣタグ付き携帯端末１０の時間毎の位置を記憶することにより、その動向を把握することが可能なＩＤ番号ごとの行動表を作成する（Ｓ３３）。
【００３２】
この情報は、ＩＣタグ付き携帯端末１０のユーザ自身が自分の１日の行動の記録を知るためや、親が子供の行動を知るためや、会社が社員の行動の記録を知るため等に利用可能である。なお、この情報を地図情報と合わせて行動を記録するようにしてもよい。そのような具体的な表示例を図５に示す。ここで、（Ａ）は、ＩＣタグ付き携帯端末１０ごとの行動記録表であり、（Ｂ）はその地図表示である。これらの表示は、プリントアウトして後に説明する会員に送信してもよいし、ネットワーク３４を介して図示のない会員のパソコン等に表示してもよい。
【００３３】
サーバ３３は、所定の会員等にそのようなサービスを提供することが可能であり、会員は予め会員登録をしているものとする。
【００３４】
サーバ３３は、ユーザ等から問い合せがあると（Ｓ３４）、ユーザＩＤおよびパスワード等によって会員確認を行い、会員であることを確認すると（Ｓ３５）、問い合せＩＤ番号のデータを検索し（Ｓ３６）、そのデータを会員に提供する（Ｓ３７）。
【００３５】
（２）第２実施の形態
次に、ＩＣタグ付き携帯端末１０の他の利用方法について説明する。ここでは、ＩＣタグ付き携帯端末１０をユーザへの情報提供に利用する。
【００３６】
図６は、デパートの内部または一般の通りにおいて、複数の店Ａ，Ｂ，Ｃが連続している状態を示す図であり、図７はＩＣタグ付き携帯端末１０の動作を説明するフローチャートである。図６および図７を参照して、各店Ａ，Ｂ，Ｃの入口には、上記した所定のトリガー信号を出力するトリガー信号発信部５１ａ、５１ｂ、５１ｃと、各店の情報を格納するとともに、ＩＤ番号を記憶する情報発信装置５２ａ、５２ｂ、５２ｃが設けられている。
【００３７】
ユーザがＩＣタグ付き携帯端末１０を保持してたとえば店Ａの前に来ると、トリガー信号発信部５１ａからのトリガー信号を受信する（Ｓ４１）。トリガー信号を受信すると、上記したように、ＩＣタグ部１６が起動され、携帯端末１０からＩＤ番号が出力される（Ｓ４２）。情報発信装置５２はこのＩＤ番号を記憶するとともに、内蔵するその店特有の情報をＩＣタグ付き携帯端末１０に送信する。ＩＣタグ付き携帯端末１０は、その情報を受けると、まずその表示部２４に送信された情報を表示するか否かの問い合せを表示し、ユーザが表示を選択すると（Ｓ４３）、その情報を表示部に表示する（Ｓ４４）。ついで表示内容をデータ記憶部２３に記憶するか否かの問い合せを表示部２４に表示し、ユーザがＯＫすれば（Ｓ４５）、データが記憶される（Ｓ４６）。Ｓ４３でデータ表示を選択しなかったときは、処理はＳ４６へ進む。
【００３８】
なお、情報発信装置５２ａ、５２ｂ、５２ｃはネットワーク３４を介してサーバ３３に接続されていてもよく、この場合には先の実施の形態と同様に、情報発信装置５２ａ、５２ｂ、５２ｃからそのサーバ３３にＩＤ番号を送信して、サーバ３３にて先の実施の形態と同様の処理を行うようにしてもよい。そうすれは、サーバ３３で店の情報の更新や来客の管理等が可能になる。
【００３９】
以上のように、この実施の形態によれば、ユーザは、店の前に行くだけで、その店特有の情報を得ることができる。
【００４０】
なお、この実施の形態においては、ＩＣタグ付き携帯端末１０から電話機能部１２の有する電話番号またはメールアドレスを出力し、その電話番号またはメールアドレスに店の情報を連絡するよにしてもよい。
（３）第３の実施の形態
次に、ＩＣタグ付き携帯端末１０のさらに他の利用方法について説明する。ここでは、ＩＣタグ付き携帯端末１０を非常時に確実に人の入退出管理ができる入退出管理システムに利用する。
【００４１】
図８は、この実施の形態に係る、非常時に使用しうる入退出管理システムの一実施の形態が、ある工場に適用された場合の工場の平面図である。図８を参照して、工場７０は建物として工場建家７１と受付７２とを含む。工場７０は図に示すように、事務室、応接室、管理室、会議室等の事務部門と作業場等の作業部門等を含む。
【００４２】
工場の正面出入口部７３には入退出管理システムのトリガ信号発信部１１１ａ（図９参照）、とトリガ信号に応答して入場者の所有するＩＣタグ付き携帯端末１０から発信されるＩＤ番号を受信するＩＤ受信アンテナ１１２ａが設けられている。工場に別の出入口７４があればそこにも同様にトリガ信号発信部１１１ｂ（図９参照）およびＩＤ受信アンテナ１１２ｂが設けられる。従業員等はＩＣタグ付き携帯端末１０を携帯して工場内へ立ち入る。
【００４３】
次に非常時に適応可能な入退出管理システムの構成について説明する。図９は入退出管理システムを構成する入退出管理装置１００の構成を示すブロック図である。図９を参照して、入退出管理装置１００は所定のトリガー信号を発信するトリガー信号発信部１１１と、トリガー信号発信部１１１に接続され、トリガー信号を外部に向けて発信するするトリガー信号発信アンテナ１１２と、ＩＣタグ付き携帯端末１０からのＩＤ信号を受信するＩＤ受信アンテナ１１３と、ＩＤ受信アンテナ１１３に接続されたＩＤ受信部１１４と、外部のネットワーク１２３と接続され、外部とデータの送受信を行うためのデータ送受信部１１５と、入退出管理装置１００全体を制御する制御部１１６と、受信したＩＤ番号等を記憶するメモリ１１７と、時刻を特定する電波時計のような計時部１１８と、Ｄ／Ａ変換部１１９、発声装置１２０およびスピーカ１２１からなる音声検出部１２２とを含む。音声検出部１２２の動作については後で説明する。入退出管理装置１００は、入退出管理装置１００とは別に設けられた非常時検出装置１２４に接続されている。
【００４４】
トリガー信号発信部１１１はトリガー信号発信アンテナ１１２からトリガー信号を発信する。ＩＣタグ付き携帯端末１０はこのトリガー信号を受信して固有のＩＤ番号を出力する。ＩＤ受信アンテナ１１３はこのＩＤ番号を受信して、メモリ１１７に受信時刻とともに受信データを記憶する。
【００４５】
非常時検出装置１２４は地震計や、火災報知器等を含む。非常時検出装置１２４が地震計の場合は、震度が所定のある値と超えると制御部１１６に作動情報が入力され、以下に説明するように入退出管理装置１００に所定の作動を行わせるが、この非常時データは外部に設けた非常時検出装置１２４に限らず、人が作動ボタンを押すことによって作動させるようにしても良い。また、外部からの信号をデータ送受信部１１５で受けて作動させても良い。
【００４６】
この入退出管理装置１００は、入口部７３近傍の管理室に設けても良いが、受付７２等の工場建家とは別の建家に設けるのが好ましい。
【００４７】
次に、非常時入退出管理装置１００の具体的な動作について説明する。図１０は入退出管理装置１００の動作を示すフローチャートである。図８から図１０を参照して、入場者がＩＣタグ付き携帯端末１０を保持して工場７０に入場した場合について説明する。
【００４８】
まず、入退出管理装置１００はトリガー信号発信部１１１からトリガーアンテナ１１２を介してトリガー信号を発信する（Ｓ５１）。入場者が入場のために、出入口７３，７４近傍に来ると、トリガー信号発信アンテナ１１２からのトリガー信号を受けてＩＣタグ付き携帯端末１０からＩＤ番号が出力される。ＩＤ受信部１１４は、ＩＤ受信アンテナ１１３を介してこれを受けて（Ｓ５２でＹＥＳ）、計時部１１８からの時刻データとともにメモリ１１７に記憶する（Ｓ５３）。このときＩＣタグ付き携帯端末１０は、ＩＤ番号や時刻だけでなく、その他の必要な情報を出力してもよい。
【００４９】
なお、このシステムでは、入場者が出入口７３，７４にアクセスする毎にそのＩＤ番号と時刻が記録されることになる。入退出管理装置１００は各ＩＤ番号毎にデータを管理するものとし、各ＩＤ番号毎に入退場を示す一対のデータが記録されていれば入場と退場がなされたものとみなしうる。逆に、一方のデータしかなければ、その従業員はまだ工場内部に存在していると判断できる。
【００５０】
非常時検出装置１２４が作動して、非常事態が発生したときは（Ｓ５４）、入退出管理装置１００のデータを読出し（Ｓ５５）、データ送受信部１５から関連先へデータを送信する（Ｓ５６）。
【００５１】
データの読出しは、メモリ１１７に格納されたデータを図示のない出力装置に出力することによって行われるものとする。またデータが送信される関連先とは、工場以外に本社等があれば、そこへ送信されるとともに、消防署や警察等のような官公庁に送信しても良い。
【００５２】
次に非常時として、たとえば震災があり、工場等の建家が崩壊した場合について説明する。この場合、入退出管理装置１００は崩壊した建物内の瓦礫に埋もれてしまっている可能性が高いが、このときにはすでに入退出管理装置１００のデータは上記した関連先に送信されているから、そのデータを基にまだ建物内部に取り残されている可能性の高い人が認識できる。
【００５３】
レスキュー隊等の人はこのデータを基に当該建物から脱出できなかった可能性のある人を入退出管理装置を用いて探すことができる。すなわち、トリガ信号発信アンテナ１１２からトリガー信号を発信すればそれに応答してＩＣタグ付き携帯端末１０からＩＤ番号が出力されるためそれをＩＤ受信部１１４を用いて検出できる。また、ＩＣタグ付き携帯端末１０にマイクや温度センサを設け、そのマイクからの音声を音声検出部１２２で検出したり、温度センサからの体温といった被災者（ＩＣタグ付き携帯端末１０の所有者）の生命信号も得ることができる。
【００５４】
このためには、トリガー信号発信部１１１、トリガー信号発信アンテナ１１２、ＩＤ受信アンテナ１１３およびＩＤ受信部１１４等を含む携帯可能なＩＤ番号受信ユニットを準備してもよい。これは入退出管理装置１００の基本的な機能（トリガー発信機能、ＩＤ受信機能）を少なくとも有するもので、持ち運びさえできればどのような形式でも良い。また、ＩＤ番号受信ユニットには、生命信号や受信したＩＤ番号の確認のために表示部を設けても良い。
（４）第４実施の形態
次にＩＣタグ付き携帯端末１０のさらに他の使用例について説明する。ここではＩＣタグ付き携帯端末を競技用管理システムとして利用する。図１１はユーザがＩＣタグ付き携帯端末１０を保持してマラソンのレースに参加した状態を示す図である。
【００５５】
図１１を参照して、トリガー信号を出力し、ＩＤ番号を受信する競技用管理システム２００は走路を有するトラックのゴール２０１の近傍に設けられる。このゴール２０1においてＩＣタグ付き携帯端末１０を有する複数のランナーのゴール時間を検出する。
【００５６】
図１１を参照して、走路２０２に所定のゴール２０１が設けられている。ＩＣタグ付き携帯端末１０を有する複数のランナーの各々はそれぞれ異なる番号のゼッケンを付けるとともに、ゼッケンに対応した固有のＩＤ番号を出力するＩＣタグ付き携帯端末１０を保持して走行している。競技用管理システム２００は、ゴール２０１の近傍に設けられたメインコントロール部２１０を含む。
【００５７】
メインコントロール部２１０は、ＩＣタグ付き携帯端末１０に対してトリガー発信を行なうとともに、ＩＣタグ付き携帯端末１０からのＩＤ信号を受信するメインコントローラ２１１と、メインコントローラ２１１に接続され、トリガー信号を発信するトリガー発信アンテナ２１２と、ＩＣタグ付き携帯端末１０からのＩＤ信号を受信するＩＤ受信アンテナ２１３ａ，２１３ｂと、メインコントローラ１１に接続され、メインコントロール部２１０全体を制御する制御部２３０とを含む。メインコントローラ２１１と制御部２３０とはＲＳ−２３２Ｃケーブル等を用いて接続されている。
【００５８】
制御部２３０は、ＣＰＵ２３１と、トリガー信号受信部２３２と、トリガー信号受信部２３２の受信した受信データを記憶するメモリ２３６と、標準電波を受信してＣＰＵにシステムクロックを供給するシステムクロック供給部２９０と、システムクロック供給部２９０からの時計情報を受けて時刻を表示する時計表示部２３８とを含む。
【００５９】
制御部２３０は、検出した複数のＩＤ信号のそれぞれを標準電波に基づく時刻とともにメモリ２３６に記憶する。また、制御部２３０は、検出した複数のＩＤ信号のそれぞれ検出時刻を表示する表示部を有しても良い。
【００６０】
図１２は、この実施の形態におけるＩＣタグ付き携帯端末１０（Ａ）とメインコントロール部２００（Ｂ）とのそれぞれの処理を示すフローチャートである。
【００６１】
図１２（Ａ）を参照して、ＩＣタグ付き携帯端末１０は、ゴールに近づいて、トリガー信号を受信すると、ＩＤ番号を出力する（Ｓ６１〜Ｓ６２）。
【００６２】
図１２（Ｂ）を参照して、制御部２３０は、トリガー信号を発信し（Ｓ７１）、ＩＣタグ付き携帯端末１０からのＩＤを受信すると、そのＩＤ番号をシステムクロック供給部２９０からの計時データとともにメモリ２３６に記憶し（Ｓ７２，Ｓ７３）、そのデータを図示のない管理装置に送信する（Ｓ７４）。管理装置は、受信したデータに基づいて、順位を判定する。なお、この順位の判定は、メインコントロール部で行ってもよい。
【００６３】
なお、システムクロック供給部は、標準電波やＧＰＳからの時報データを受けており、正確な時刻を得ることができるものである。
【００６４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００６５】
この発明に係るＩＣタグ付き携帯端末は、電池を内蔵し、十分な出力で外部にＩＤ番号を出力できる。確実に自分の情報を外部へ出力できるため、外部への情報伝達、それを利用した動向管理システム等に有利に利用される。
【図面の簡単な説明】
【００６６】
【図１】この発明の一実施の形態に係るＩＣタグ付き携帯端末を用いたシステムの全体構成を示す図である。
【図２】ＩＣタグ付き携帯端末の構成を示すブロック図である。
【図３】第１実施の形態におけるＩＣタグ付き携帯端末のＣＰＵが行う動作とトリガー信号出力部の行う動作とを説明するフローチャートである。。
【図４】第１実施の形態におけるサーバの動作を説明するフローチャートである。。
【図５】ＩＣタグ付き携帯端末のＩＤごとの動向管理データの一例を示す図である。
【図６】第２実施の形態における複数の店におけるＩＣタグ付き携帯端末の利用法を説明するための図である。
【図７】第２実施の形態におけるＩＣタグ付き携帯端末の動作を説明するフローチャートである。。
【図８】第３実施の形態における入退出管理システムの一実施の形態がある工場に適用された場合の工場の平面図である。
【図９】第３実施の形態における入退出管理装置の構成を示すブロック図である。
【図１０】第３実施の形態における入退出管理装置の動作を示すフローチャートである。
【図１１】第４実施の形態におけるユーザがＩＣタグ付き携帯端末を保持してマラソンのレースに参加した状態を示す図である。
【図１２】第４実施の形態におけるＩＣタグ付き携帯端末とメインコントロール部とのそれぞれの処理を示すフローチャートである。
【符号の説明】
【００６７】
１０  ＩＣタグ付き携帯端末、１１  携帯電話用送受信アンテナ、１２  電話機能部、１３  受信部、１４  送信部、１５  ＩＣタグ部用送受信アンテナ、１６  ＩＣタグ部、１７  トリガー検知部、１８  電池、１９  スイッチ、２０  記憶部、２１  ＩＤ番号記憶部、２２  ＩＤ発信部、２３  データ記憶部。
【図１】
2005234716.tif 000003
【図２】
2005234716.tif 000004
【図３】
2005234716.tif 000005
【図４】
2005234716.tif 000006
【図５】
2005234716.tif 000007
【図６】
2005234716.tif 000008
【図７】
2005234716.tif 000009
【図８】
2005234716.tif 000010
【図９】
2005234716.tif 000011
【図１０】
2005234716.tif 000012
【図１１】
2005234716.tif 000013
【図１２】
2005234716.tif 000014